(57)【要約】【課題】従来の複写機等における原稿紙の給・排紙装置の場合、比較的細いローラに巻回するために原稿紙自体の厚みが、比較的薄い用紙でなければならないという制限があり、また宛名等の厚紙原稿紙を大量に使用して印刷する場合には、手動で原稿紙の給・排紙を行わなければならいという問題が有った。【解決手段】本発明装置は、宛名等の厚紙原稿紙を使用して大量に複写印刷する場合であっても、ステッピングモータの回転を、同軸に設けた原動ギヤ、カム軸ギヤ及びカム軸を介してカムを回転させフードベルトを走行させることで給紙を行い、逆にカム軸ギヤと噛合している排紙ローラーギヤを回転させて排紙ローラを回転させることで排紙を行い、これらの給紙と排紙とを順次繰り返すことができる新規な複写機における原稿紙の給・排紙装置を提供するものである。【選択図】図１
2004142860.tif 000002
【特許請求の範囲】
【請求項１】
給紙装置より送出された原稿紙を、所定の位置に送給する送給手段と、印刷後の原稿紙を排出する排出手段と、これらの送給及びび排出手段を所定のタイミングで作動させるための回転手段と、この回転手段に回転力を伝達するための回転力伝達手段とを具備することを特徴とする複写機における原稿紙の給・排紙装置。
【請求項２】
前記所定の位置に送給する送給手段は、原稿紙の両側面を整理するための側板４５を固定する原稿載置台３４と、フードローラ１４及び捌きローラ１５上を回転するフードベルト２３と、原稿用紙の前端部を整理する調整板４２からなる原稿載置機能と、前記フードローラ１４の回転により送出された原稿用紙を、捌き片４下部を通り給紙ローラ１３と給・排紙ローラ２２の間を通過させる原稿送付機能と、送付された原稿紙７０複写機６７上に設けた原稿台６８の端部に設置した枠体５５、及びび該枠体５５に連接する原稿カバー５６からなる印刷部機構とを有することを特徴とする請求項１記載の複写機における原稿紙の給・排紙装置。
【請求項３】
前記印刷後の原稿紙を排出する排出手段は、印刷後の原稿紙７０上を移動しながら原稿紙を引き込む排紙ゴム輪８２と、引き込まれた原稿紙を給・排紙ベルト２２と排紙バネ２３の間に挿給しながら排紙台６９に向けて排紙する排紙挿給機能を有することを特徴とする請求項１記載の複写機における原稿紙の給・排紙装置。
【請求項４】
前記送給及び排出手段を所定のタイミングで作動させるための回転手段は、送給回転手段として、パワーサプライ６３からの２次電流を受けてステッピングモータ２８の回転を行い、原動ギヤ３０、カム軸ギヤ３１及びカム軸２４を介してカム２７を回転させてフードベルト２３を走行させ、一方、排出回転手段は、カム軸ギヤ３１と噛合している排紙ローラギヤ７７を回転させながら排紙ローラ１２を同時に回転させることを特徴とする請求項１記載の複写機における原稿紙の給・排紙装置。
【請求項５】
前記回転手段に回転力を伝達するための回転力伝達手段は、機枠に取り付けられたステッピングモータ２８のモータ軸２９に軸着されている原動ギヤ３０で噛合している回動自在なカム軸ギヤ３１を介して回転手段であるカム２５、２６、２７に回転力を伝達することを特徴とする請求項１記載の複写機における原稿紙の給・排紙装置。
【発明の詳細な説明】
【０００１】
【発明の属する技術分野】
本発明は、複写機等の給・排紙装置に関するものであり、さらに詳しくは、宛名カード等の厚紙の用紙に記載された原稿紙を、複写機の原稿台６８の所定の位置に自動的に設置するための給・排紙装置に関するものである。
【０００２】
【従来技術】
従来、複写機を利用して複写を行う場合、その原稿紙を原稿台に手差しで給紙し、複写後に手動で排紙を行った後、再び次の原稿紙を手差しでセットした後、スタートキーを押すということになり、原稿のかわる度にこの作業をくり返すことになるため、多量の複写を数多く行う宛名印刷等の場合などその作業時間を長時間続けることは過労であった。
【０００３】
また、自動的に原稿紙の給・排紙を行う装置では、その原稿紙を比較的細いローラに巻回するため、原稿紙の厚紙の場合不可能であったため、カード類等の厚紙の複写原稿は手動による複写を行なわざるを得なかった。
【０００４】
【発明が解決しようとする課題】
このように従来の複写機や印刷機（以下、複写機という）におけるカード類等の厚紙原稿紙の給紙及び排紙は、手作業によって行うことが多く、そのために原稿紙の数が多くして複写枚数の少ない複写等の場合に問題があった。
【０００５】
本発明は、このような事情に鑑みてなされたもので、複写、印刷等において原稿紙の数が多くして複写枚数の少ない場合の複写等において、これらの作業を自動的に行って省力化することを目的とする。
【０００６】
【課題を解決するための手段】
本発明者は斯かる課題を解決するために鋭意研究したところ、従来の薄紙対応の自動ローラに代えて、フードローラを回転させながら複写台の複写位置に原稿用紙を供給し、印刷が終了した後に給紙ローラと排紙ローラを同時に回転させながら印刷を終えた原稿用紙を排出すると共に、次の原稿用紙を複写位置に供給することができる新規な厚紙、原稿紙の複写機の給・排紙装置を提供するものである。
【０００７】
すなわち本発明の第一は、給紙装置より送出された原稿紙を、所定の位置に送給する送給手段と、印刷後の原稿紙を排出する排出手段と、これらの送給及び排出手段を所定のタイミングで作動させるための回転手段と、この回転手段に回転力を伝達するための回転力伝達手段とを具備することを特徴とする複写機における原稿紙の給・排紙装置である。
【０００８】
本発明の第二は、前記所定の位置に送給する送給手段は、原稿紙の両側面を整理するための側板４５を固定する原稿載置台３４と、フードローラ１４及び捌きローラ１５上を回転するフードベルト２３と、原稿用紙の前端部を整理する調整板４２からなる原稿載置機能と、前記フードローラ１４の回転により送出された原稿用紙を、捌き片４下部を通り給紙ローラ１３と給・排紙ローラ２２の間を通過させる原稿送付機能と、送付された原稿紙７０複写機６７上に設けた原稿台６８の端部に設置した枠体５５、及び該枠体５５に連接する原稿カバー５６からなる印刷部機構とを有することを特徴とする請求項１記載の複写機における原稿紙の給・排紙装置である。
【０００９】
本発明の第三は、前記印刷後の原稿紙を排出する排出手段は、印刷後の原稿紙７０上を移動しながら原稿紙を引き込む排紙ゴム輪８２と、引き込まれた原稿紙を給・排紙ベルト２２と排紙バネ２３の間に挿給しながら排紙台６９に向けて排紙する排紙挿給機能を有することを特徴とする請求項１記載の複写機における原稿紙の給・排紙装置である。
【００１０】
本発明の第四は、前記送給及び排出手段を所定のタイミングで作動させるための回転手段は、送給回転手段として、パワーサプライ６３からの２時電流を受けてステッピングモータ２８の回転を行い、原動ギヤ３０、カム軸ギヤ３１及びカム軸２４を介してカム２７を回転させてフードベルト２３を走行させ、一方、排出回転手段は、カム軸ギヤ３１と噛合している排紙ローラギヤ７７を回転させながら排紙ローラ１２を同時に回転させることを特徴とする請求項１記載の複写機における原稿紙の給・排紙装置である。
【００１１】
本発明の第五は、前記回転手段に回転力を伝達するための回転力伝達手段は、機枠に取り付けられたステッピングモータ２８のモータ軸２９に軸着されている原動ギヤ３０で噛合している回動自在なカム軸ギヤ３１を介して回転手段であるカム２５、２６、２７に回転力を伝達することを特徴とする請求項１記載の複写機における原稿紙の給・排紙装置である。
【００１２】
【発明の実施の形態】
以下、実施例につきこの発明を図面を参照にして詳細に説明する。第１図〜第１１図は、本発明の実施例における原稿紙の給・排紙装置の要部を表したものである。
【００１３】
図面を基に、各機構の説明を行う。先ず給紙並びに排紙手段の回転を行うカム軸２４は、図４に示されるように軸７９，７９を介して機枠３８，３８に回動自在に取り付けられている。
【００１４】
この場合、このカム軸２４には、図１−図２、図５−図８に示されるようにカム２５，２６，２７とカム軸ギヤ３１と、カム軸ギヤ３１と半径及び歯型の等しい一部切欠の切欠ギヤ３２等が軸着している。
【００１５】
ステッピングモータ２８は、ボルト３６〜３６を介して機枠３８に取り付けられており、図８に示すように、このモータ軸２９には原動ギヤ３０が軸着されていてカム軸ギヤ（回転力伝達手段）３１と噛合している。
【００１６】
排紙ローラギヤ７７とフードローラギヤ７８とは歯型及び周径が等しくなって居り、排紙ローラ軸１８及びフードローラ軸２０に夫々軸着されていて、排紙ローラギャ７７はカム軸ギヤ３１に、フードローラギヤ７８は切欠ギヤ３２に夫々噛合している。
【００１７】
排紙ローラ１２は、軸受７９，７９を介して機枠３８，３９に回動自在に取り付けられており、フードローラ１４は、軸受７９，７９を介して機枠３８，３９に回動自在に取り付けられている。
【００１８】
排紙ローラ１２とフードローラ１４とは、直径が等しくなっている。捌きローラ１５、給紙ローラ１３、テンションローラ１６は軸受７９〜７９を介して機枠３８、３９に回動自在に取り付けられている。
【００１９】
給・排紙ローラ１１、テンションローラ８３は、ブリッジ３５の桁３７，３７に夫々回動自在に取り付けられており、このブリッジ３５は、ボルト３６〜３６を介して機枠３８，３９に取り付けられている．
【００２０】
給・排紙ベルト２２は、給・排紙ローラ１１、排紙ローラ１２間にテンションローラ１６，８３を介して走行自在に巻回されており、また、フードベルト２３はフードローラ１４、捌きローラ１５間に走行自在に巻回している。
【００２１】
原稿紙載置台３４は、ボルト３６〜３６を介して機枠３８、３９に取り付けられていて、この上部左右には取付ネジ４６，４６を介して側板４５，４５が取り付けられている。この場合、機枠３８，３８は、図４に示されるように、ビーム４１〜４１及び皿ビス９０〜９０等を介して組立てられ、また機枠３８，３９は、ビーム４０〜４０及び皿ビス９０〜９０等を介して組立てられている。
【００２２】
調節板４２は、調節ねじ４４及びボルト３６，３６を介してビーム４０，４０に調節自在に取付けられており、捌き片４３は調節板４２の下方にビス７３，７３を介して取付けられている。
【００２３】
側板４５，４５は、原稿紙載置台３４上の左右に夫々取付ねじ４６，４６を介して調節自在に取付けられており、機枠５５は、複写機６７の原稿台（ガラス板）６８上の所定の位置にセットして、側端を機枠３８にビス７３，７３を介して取付けられている。
【００２４】
原稿台カバー５６は、機枠５５の内側にゴム片を介して開閉自在に取付けられており、軸６０，８５，８６，８７は、軸受７９〜７９等を介して機枠３８，３８間に揺動自在に取付けられている。
【００２５】
レバー５３，５４は、軸８５に夫々軸着しているが、このレバー５４の一方には、ピン４９を介してコロ４８が回動自在に設けられていて、カム２６に当接している。
【００２６】
また、レバー８８，７６は、軸８６に軸着しているが、このレバー７６にはピン７４が螺設されている。レバー７５は、レバー５３，８８間にピン５０，５０を介して揺動自在に取付けられている。
【００２７】
アーム８４は、ビス７３，７３を介して原稿台カバー５６に取付けられている他、このアーム８４にはピン７４が螺設されている。この場合、このピン７４，７４間には作動桿６１が揺動自在に取付けられている。
【００２８】
レバー４７は、軸６０に軸着しているが、このレバー４７の中央部には、ピン４９を介してコロ４８が回動自在に取付けられている。また、このレバー４７には、螺設したピン７４と機枠３８に螺設したピン７４間にスプリング５１が設けられていて、コロ４８がカム２５に当接している。
【００２９】
レバー５８，５９は、軸８７に軸着している他、レバー４７，５８間には、レバー５７がピン５０，５０を介して揺動自在に取付けられている。この場合、レバー５９には、ピン７４が螺接されているが、このピン７４には軸受５２が揺動自在に取付けられている。
【００３０】
軸受５２には、ビス７３，７３を介して鋼板７２が取付けられており、この鋼板７２の一方には、一方回転クラッチを内臓するゴム輪（排紙用）が、ピン７４、ビス７３，７３を介して回動自在に取付けられている。
【００３１】
排紙台６９には、底部にクリップ９１〜９１が熔着され、排紙バネ３３には、ビス７３，７３を介して排紙台６９に取付けられている。
【００３２】
図４に示されるように台板６２は、ビス７３〜７３を介して機枠３８に取付けられており、マイクロスイッチ６４、パワーリレー６５、コンデンサー６６、リレー台８０等が、ボルト３６〜３６等を介して夫々取付けられている。
【００３３】
機枠３８，３８，３９は、ビーム４１〜４１、４０〜４０及び皿ビス９０〜９０等を介して組立てられ、取付板８９は、ビス７３〜７３を介して複写機６７の上部側方に取付けられている。
【００３４】
この原稿給・排紙装置は、ボルト３６〜３６等を介して取付板８９に取付られている。
【００３５】
本発明装置では、カム２７が第５図に示す状態のとき、マイクロスイッチ６４のコロがカム２７の凹部に当接していて通電していないのでリレー６５は開の状態であってパワーサプライ６３からの２次電流（ＡＣ１００Ｖ）がステッピングモータ２８に達しないので回転せずに停止している。
【００３６】
複写機からのパルス（図示していない）が、リレー６５の操作線に達するとリレー６５は閉の状態となってパワーサプライからの２次電流がリレー６５を介してステッピングモータ２８に達してわずかに回転を開始し、原動ギヤ３０、カム軸ギャ３１、カム２４を介してカム２７が回動して、第６図に示すようにマイクロスイッチ６４のコロがカム２７凸部に当接して通電の状態が続き、リレー６５は閉の状態で保持されるので、パワーサプライ６３からの２次電流がステッピングモータ２８に送り続けられて回転状態になって第６図に示すような状態になる。
【００３７】
更にカム軸２４は回動を続けると第７図に示す状態となり、切欠ギヤ３２の切欠部分が回動してフードローラ７８との噛合がなくなりフード−ローラ１４の回転は停止する。１方第８図に示すようにカム軸ギヤ３１と噛合している排紙ローラギヤは回転を続けていて排紙ローラ１２は回転している。カム２７が回動して第５図に示す状態になるとマイクロスイッチ６４のコロが同カムの凹部に落ちて保持電流が断たれてリレー６５は開となり２次電流が断たれてステッピングモータ２８は停止する。
【００３８】
カム軸２４が静止のときは、第１図に示すように原稿台カバー５６は閉じているが、カム軸が回動して第２図に示す状態になると、レバー５４のコロ４８はカム２６の凸部に当接して軸８５、レバー５３、レバー７５、ピン５０、５０、レバー８８、軸８６、レバー７６、ピン７４，７４、作動６１、アーム８４を介して原稿台カバー５６は同図に示すように跳上して半開きの状態となる。
【００３９】
原稿台カバー５６が第１図に示すように閉の状態のとき、レバー４７のコロ４８はカム２５の高部に当接していて排紙ゴム輪８２は同図に示すように給排紙ローラ１１より内側に位置している。この状態で複写が行われる。カム２６が回動して第２図に示す状態になり原稿台カバー５６が跳上して半開きになるのと同時にカム２５の凹部が回動してくるとコロ４８、レバー４７はスプリング５１によって軸２４の方向に移動する。
【００４０】
レバー５７，５８，５９、ピン５０，５０軸８７、ピン７４，７４等を介して排紙ゴム輪８２は、同図に示すように原稿台６８上に転出する。この場合、カム２５は矢印方向に回動して次第にその高部がコロ４８に当接してくると第３図に示す状態となって排紙ゴム輪８２は矢印方向に移動するが、この排紙ゴム輪８２は１方クラッチが内臓されていて反時計方向には回転しないので、複写の終了した原稿紙７０を同図に示すように走行中の給・排紙ベルト２２と当接している排紙バネ３３間に送給して排紙することになる。
【００４１】
原稿載置台３４上にはフードベルト２３が、フードローラ１４、捌きローラ１５間に巻回してあり、捌きローラ近傍に捌き片４３が調節板４２の下方に配されていて調節ねじ４４で原稿紙７０が１枚だけ通過されるように調節し、ボルト３６，３６を介して固定される。
【００４２】
排紙台６９はビーム４０，４０上に第２図に示すように、クリップ９１〜９１を介してセットしてあり、その上方中央に排紙バネ３３がビス７３，７３を介して取付けられていて、複写機６７の上端に載置してある。
【００４３】
この排紙バネ３３は第１図及び第３図に示すように波状になっていてその凸起部が給排紙ベルト２２の下面に弾力的に当接しており、給・排紙ベルト２２の走行に伴って同図に示すように矢印に方向に原稿紙７０を搬送して排紙台６９に排紙するようになっている。
【００４４】
原稿載置台３４及びフードベルト２３上に載置（累積載）された原稿紙７０は、その最下位の一枚が当接するフードベルト２３の走行に伴って出を開始し、捌き片４３を通過して給紙ローラ１３と給・排紙ベルト２２間に向って送り出されてゆくが、一方前述したように、第２図に示すように排紙ゴム輪８２が、既に複写工程を終了した原稿紙７０上にあって、カム２５の回動によって第３図に示すように反時計方向には回転しない排紙ゴム輪８２は、原稿紙７０を同図のように走行中の給・排紙ベルト２２と排紙バネ２３間に給する。
【００４５】
又、給紙ローラ１３と給・排紙ベルト間に給されて走行しているこの原稿紙７０は原稿台（ガラス板）６８上の所定の位置に向って送給されてゆくが、この原稿紙７０の末尾が捌き片４３を通過した時点で、切欠ギヤ３２の切欠部が第７図に示したように回動してフードローラギヤとの噛合が断たれて、フードローラ１４及びフードベルト２３の走行が止まって載置されている次の原稿紙７０の送出は阻止される。
【００４６】
こうして第３図に示したように原稿紙７０は送給されてゆくが、一方同図に示すように前の原稿紙７０は反時計方向には回転しないが、時計方向には回転する排紙ゴム輪８２の下端を排紙台６９に向って排紙されてゆくことになる。
【００４７】
原稿紙７０は原稿紙載置台３４上に累積載されて下方から次第に送出されて少なってゆくが、この装置では原稿紙の補給のためには装置を停止させることなく上部に載せてゆく方法で補給を行うことになる。
【００４８】
【発明の効果】
以上説明したようにこの発明によれば、従来の複写機等で１原稿毎に所定の設置位置に原稿紙をセットして複写終了後に排紙を行うことを手作業で行うもので、原稿紙の数量が多くして複写枚数の少い場合などこれを長時間続けることが困難であるものを、この原稿紙の給・排紙装置は自動的に行うことができるものである。
【００４９】
例えば、１枚つづの複写を多量に行う宛名複写等における効果は顕著であり、特に宛名書きなどの文字の書体が活字印刷体の文字より、手書きの書体がその価値が認められているところから、この原稿紙の給・排紙装置が複写印刷の消力化を図ると同時に手書き書体を遣す一助にもすることができるものである。
【図面の簡単な説明】
【図１】給紙・排紙は停止で複写中を示す概略側面図である。
【図２】排紙を開始する場合を示す概略側面図である。
【図３】給紙と排紙とを同時に行うことを示す概略側面図である。
【図４】この給・排紙装置の要部を示す断面の正面図である。
【図５】フードベルトの運動状態を示す概略側面図である。
【図６】フードベルトの運動状態を示す概略側面図である。
【図７】フードベルトの運動状態を示す概略側面図である。
【図８】給・排給ベルトの運動機構を示す概略側面図である。
【図９】この装置の要部を示す一部切欠の斜面図である。
【図１０】使用状態を示す全体側面図である。
【図１１】制御状態を示す実態配線図である。
【符号の説明】
１１・・・給・排紙ローラ
１２・・・排紙ローラ
１３・・・給紙ローラ
１４・・・フードローラ
１５・・・捌きローラ
１６・・・テンションローラ
１７・・・給・排紙ローラ軸
１８・・・排紙ローラ軸
１９・・・給紙ローラ軸
２０・・・フードローラ軸
２１・・・捌きローラ軸
２２・・・給・排紙ベルト
２３・・・フードベルト
２４・・・カム軸
２５・・・カム
２６・・・カム
２７・・・カム
２８・・・ステッピングモータ
２９・・・モータ軸
３０・・・原動ギヤ
３１・・・カム軸ギヤ
３２・・・切欠ギヤ
３３・・・排紙バネ
３４・・・原稿紙載置台
３５・・・ブリッジ
３６・・・ボルト
３７・・・桁
３８・・・機枠
３９・・・機枠
４０・・・ビーム
４１・・・ビーム
４２・・・調整板
４３・・・捌き片
４４・・・調節ネジ
４５・・・側板
４６・・・取付ネジ
４７・・・レバー
４８・・・コロ
４９・・・ピン
５０・・・ピン
５１・・・スプリング
５２・・・軸受（鋼板取付）
５３・・・レバー
５４・・・レバー
５５・・・枠体（原稿位置決め）
５６・・・原稿台カバー
５７・・・レバー
５８・・・レバー
５９・・・レバー
６０・・・軸
６１・・・作動桿（鋼線）
６２・・・台板
６３・・・パワーサプライ
６４・・・マイクロスイッチ
６５・・・リレー
６６・・・コンデッサー
６７・・・複写機
６８・・・原稿台（ガラス板）
６９・・・排紙台
７０・・・原稿紙
７１・・・ゴム片
７２・・・鋼板
７３・・・ビス
７４・・・ピン
７５・・・レバー
７６・・・レバー
７７・・・排紙ローラギヤ
７８・・・フードローラギヤ
７９・・・軸受
８０・・・リレー台
８１・・・電線
８２・・・排紙ゴム輪
８３・・・テンションローラ
８４・・・アーム
８５・・・軸
８６・・・軸
８７・・・軸
８８・・・レバー
８９・・・取付板
９０・・・皿ビス
９１・・・クリップ
９２・・・給・排紙装置
【図１】
2004142860.tif 000003
【図２】
2004142860.tif 000004
【図３】
2004142860.tif 000005
【図４】
2004142860.tif 000006
【図５】
2004142860.tif 000007
【図６】
2004142860.tif 000008
【図７】
2004142860.tif 000009
【図８】
2004142860.tif 000010
【図９】
2004142860.tif 000011
【図１０】
2004142860.tif 000012
【図１１】
2004142860.tif 000013